【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
外部から送信されてくる他移動体の情報（以降、他移動体情報とも記す）に含まれてい
る前記他移動体の位置情報に基づいて、前記他移動体の位置を告知する告知手段を備えた
端末装置において、
前記他移動体情報に、前記他移動体に設定されているキーワード情報が含まれており、
自移動体に設定されているキーワード情報と、前記他移動体に設定されているキーワー
ド情報とに基づいて、前記自移動体と前記他移動体との関連性を求め、該関連性に基づい
て、前記他移動体の位置の告知重要度を求める告知重要度算出手段と、
該告知重要度算出手段により求められた告知重要度に基づいて、告知形態を決定する告
知形態決定手段とを備え、
該告知形態決定手段により決定された告知形態によって告知の差別化を図るように構成
されていることを特徴とする端末装置。
【請求項２】
外部から送信されてくる他移動体の情報（以降、他移動体情報とも記す）に含まれてい
る前記他移動体の位置情報に基づいて、前記他移動体の位置を告知する告知手段を備えた
端末装置において、
前記他移動体情報に、前記他移動体の属するグループ情報が含まれており、
自移動体の属するグループ情報と、前記他移動体の属するグループ情報とに基づいて、
前記自移動体と前記他移動体との関連性を求め、該関連性に基づいて、前記他移動体の位
置の告知重要度を求める告知重要度算出手段と、
該告知重要度算出手段により求められた告知重要度に基づいて、告知形態を決定する告
知形態決定手段とを備え、
該告知形態決定手段により決定された告知形態によって告知の差別化を図るように構成
されていることを特徴とする端末装置。
【請求項３】
外部から送信されてくる他移動体の情報（以降、他移動体情報とも記す）に含まれてい
る前記他移動体の位置情報に基づいて、前記他移動体の位置を告知する告知手段を備えた
端末装置において、
前記他移動体情報に、前記他移動体の位置情報における更新時刻に関する情報が含まれ
ており、
前記他移動体情報に含まれている前記更新時刻に関する情報に基づいて、前記他移動体
の位置の告知重要度を求める告知重要度算出手段と、
該告知重要度算出手段により求められた告知重要度に基づいて、告知形態を決定する告
知形態決定手段とを備え、
該告知形態決定手段により決定された告知形態によって告知の差別化を図るように構成
されていることを特徴とする端末装置。
【請求項４】
各移動体の情報を記憶する移動体情報記憶手段と、
ある移動体に対し、前記移動体情報記憶手段に記憶されている他移動体の情報（以降、
他移動体情報とも記す）のうち、少なくとも前記他移動体の位置情報を送信する位置情報
等送信手段とを備えた位置情報等提供装置において、
前記移動体に対し、所定の位置周辺の地図情報を送信する地図情報送信手段を備えてい
ることを特徴とする位置情報等提供装置。
【請求項５】
各移動体の情報を記憶する移動体情報記憶手段と、
ある移動体に対し、前記移動体情報記憶手段に記憶されている他移動体の情報（以降、
他移動体情報とも記す）のうち、少なくとも前記他移動体の位置情報を送信する位置情報
等送信手段とを備えた位置情報等提供装置において、
前記移動体情報記憶手段に記憶されている他移動体情報に基づいて、他移動体情報の送
信重要度を求める送信重要度算出手段を備え、
前記位置情報等送信手段が、前記送信重要度算出手段により求められた送信重要度に基
づいて、前記送信の差別化を図るものであることを特徴とする位置情報等提供装置。
【請求項６】
情報の送信対象である移動体（以降、送信対象移動体とも記す）の情報と前記他移動体
情報とに基づいて、送信対象移動体と前記他移動体との関連性を求める関連性算出手段を
備え、
前記送信重要度算出手段が、前記関連性算出手段により求められる前記送信対象移動体
と前記他移動体との関連性に基づいて、前記送信重要度を求めるものであり、
前記移動体情報記憶手段には、各移動体に設定されているキーワード情報が記憶されて
おり、
前記関連性算出手段が、前記送信対象移動体に設定されているキーワード情報と、前記
他移動体に設定されているキーワード情報とに基づいて、前記送信対象移動体と前記他移
動体との関連性を求めるものであることを特徴とする請求項５記載の位置情報等提供装置
。
【請求項７】
情報の送信対象である移動体（以降、送信対象移動体とも記す）の情報と前記他移動体
情報とに基づいて、送信対象移動体と前記他移動体との関連性を求める関連性算出手段を
備え、
前記送信重要度算出手段が、前記関連性算出手段により求められる前記送信対象移動体
と前記他移動体との関連性に基づいて、前記送信重要度を求めるものであり、
前記移動体情報記憶手段には、各移動体の属するグループ情報が記憶されており、
前記関連性算出手段が、前記送信対象移動体の属するグループ情報と、前記他移動体の
属するグループ情報とに基づいて、前記送信対象移動体と前記他移動体との関連性を求め
るものであることを特徴とする請求項５記載の位置情報等提供装置。
【請求項８】
前記移動体情報記憶手段には、各移動体の位置情報における更新時刻に関する情報が記
憶されており、
前記送信重要度算出手段が、前記他移動体情報に含まれている前記更新時刻に関する情
報に基づいて、前記送信重要度を求めるものであることを特徴とする請求項５記載の位置
情報等提供装置。
【手続補正２】
【補正対象書類名】明細書
【補正対象項目名】０００４
【補正方法】変更
【補正の内容】
【０００４】
ところで、際限なく他車両の位置を地図上に表示すると、地図が他車両の位置を示した
マークで埋め尽くされ、他車両の位置の確認が難しくなるだけでなく、地図それ自体も見
えにくくなるといった問題がある。また、際限なく車両の位置情報の配信を行うと、通信
データ量が多くなりすぎるといった問題もある。
【手続補正３】
【補正対象書類名】明細書
【補正対象項目名】０００７
【補正方法】変更
【補正の内容】
【０００７】
上記目的を達成するために本発明に係る端末装置（１）は、外部から送信されてくる他
移動体の情報（以降、他移動体情報とも記す）に含まれている前記他移動体の位置情報に
基づいて、前記他移動体の位置を告知する告知手段を備えた端末装置において、前記他移
動体情報に、前記他移動体に設定されているキーワード情報が含まれており、自移動体に
設定されているキーワード情報と、前記他移動体に設定されているキーワード情報とに基
づいて、前記自移動体と前記他移動体との関連性を求め、該関連性に基づいて、前記他移
動体の位置の告知重要度を求める告知重要度算出手段と、該告知重要度算出手段により求
められた告知重要度に基づいて、告知形態を決定する告知形態決定手段とを備え、該告知
形態決定手段により決定された告知形態によって告知の差別化を図るように構成されてい
ることを特徴としている。
【手続補正４】
【補正対象書類名】明細書
【補正対象項目名】０００８
【補正方法】変更
【補正の内容】
【０００８】
上記端末装置（１）によれば、外部（例えば、各移動体の位置情報等を管理する管理機
関）から送信されてくる他移動体情報に基づいて、前記他移動体の位置の告知重要度が求
められ、そして、求められた該告知重要度に基づいて、告知形態が決定され、決定された
該告知形態に基づいて、前記他移動体の位置の告知の差別化が図られる。例えば、前記告
知重要度の高いもの（又は告知の必要の有るもの）については、地図上に表示するなどし
て前記自移動体の乗員へ知らせ（告知形態を地図上に表示することに決定）、他方、前記
告知重要度の低いもの（又は告知の必要の無いもの）については、地図上に表示しないよ
うにできる（告知形態を地図上に表示しないことに決定）。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、上記端末装置（１）によれば、前記自移動体と前記他移動体との関連性が求めら
れ、この関連性（例えば、前記他移動体が仲間の運転する車両であるか否かといったこと
）に基づいて、前記告知重要度が求められる。従って、前記告知の差別化を前記関連性に
基づいて行うことができるので、例えば、仲間の運転する移動体の位置だけを地図上に表
示するようにできる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
さらに、上記端末装置（１）によれば、前記自移動体に設定されているキーワード情報
と、前記他移動体に設定されているキーワード情報とに基づいて、前記自移動体と前記他
移動体との関連性が求められ、この関連性に基づいて、前記告知重要度が求められる。
【手続補正９】
【補正対象書類名】明細書
【補正対象項目名】００１７
【補正方法】変更
【補正の内容】
【００１７】
また、本発明に係る端末装置（２）は、外部から送信されてくる他移動体の情報に含ま
れている前記他移動体の位置情報に基づいて、前記他移動体の位置を告知する告知手段を
備えた端末装置において、前記他移動体情報に、前記他移動体の属するグループ情報が含
まれており、自移動体の属するグループ情報と、前記他移動体の属するグループ情報とに
基づいて、前記自移動体と前記他移動体との関連性を求め、該関連性に基づいて、前記他
移動体の位置の告知重要度を求める告知重要度算出手段と、該告知重要度算出手段により
求められた告知重要度に基づいて、告知形態を決定する告知形態決定手段とを備え、該告
知形態決定手段により決定された告知形態によって告知の差別化を図るように構成されて
いることを特徴としている。
【手続補正１０】
【補正対象書類名】明細書
【補正対象項目名】００１８
【補正方法】変更
【補正の内容】
【００１８】
上記端末装置（２）によれば、前記自移動体の属するグループ情報と、前記他移動体の
属するグループ情報とに基づいて、前記自移動体と前記他移動体との関連性が求められ、
この関連性に基づいて、前記告知重要度が求められる。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
また、本発明に係る端末装置（３）は、外部から送信されてくる他移動体の情報に含ま
れている前記他移動体の位置情報に基づいて、前記他移動体の位置を告知する告知手段を
備えた端末装置において、前記他移動体情報に、前記他移動体の位置情報における更新時
刻に関する情報が含まれており、前記他移動体情報に含まれている前記更新時刻に関する
情報に基づいて、前記他移動体の位置の告知重要度を求める告知重要度算出手段と、該告
知重要度算出手段により求められた告知重要度に基づいて、告知形態を決定する告知形態
決定手段とを備え、該告知形態決定手段により決定された告知形態によって告知の差別化
を図るように構成されていることを特徴としている。
【手続補正１４】
【補正対象書類名】明細書
【補正対象項目名】００２４
【補正方法】変更
【補正の内容】
【００２４】
上記端末装置（３）によれば、前記他移動体の位置情報における更新時刻に関する情報
に基づいて、前記告知重要度が求められる。従って、前記告知の差別化を前記他移動体の
位置情報における更新時刻に関する情報に基づいて行うことができる。
【手続補正１５】
【補正対象書類名】明細書
【補正対象項目名】００２６
【補正方法】変更
【補正の内容】
【００２６】
また、上記端末装置（１）〜（３）のいずれかにおいて、前記告知手段を、前記告知重
要度算出手段により求められる告知重要度と、前記他移動体の特性とに基づいて、前記告
知の差別化を図るものであるようにしても良い。
【手続補正１６】
【補正対象書類名】明細書
【補正対象項目名】００２７
【補正方法】変更
【補正の内容】
【００２７】
上記のように構成すれば、前記告知重要度だけでなく、前記他移動体の特性（例えば、
キーコードの種別や、グループの種別）に基づいて、前記告知の差別化が図られる。例え
ば、前記他移動体に設定されているキーコードの種別に応じて、前記他移動体の位置の表
示色が変更されたり、前記他移動体の属するグループの種別に応じて、前記他移動体の位
置の表示色が変更されることとなる。これにより、地図上に表示されている前記他移動体
に設定されているキーコードや、前記他移動体の属するグループを容易に把握することが
できるようになる。
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
また、上記端末装置（１）〜（３）のいずれかにおいて、前記告知手段を、所定の位置
周辺の地図情報に基づいて、前記他移動体の位置が示された前記所定の位置周辺の地図を
表示することによって、前記告知を行うものであるようにしても良い。
【手続補正２０】
【補正対象書類名】明細書
【補正対象項目名】００３１
【補正方法】変更
【補正の内容】
【００３１】
前記他移動体の位置を告知する方法としては、例えば、前記自移動体を基準にしてどの
方向へどのくらいの距離にいるのかといったことを知らせたり、単に緯度経度や、どの町
に存在するのかといったことを知らせる方法などが挙げられるが、上記のように構成すれ
ば、前記他移動体の位置が示された前記所定の位置（例えば、前記自移動体の位置）周辺
の地図を表示することによって、前記告知が行われる。従って、非常に分かり易く、前記
他移動体の位置を前記自移動体の乗員へ知らせることができる。
【手続補正２１】
【補正対象書類名】明細書
【補正対象項目名】００３２
【補正方法】変更
【補正の内容】
【００３２】
また、前記告知手段を、前記管理機関から送信されてくる前記所定の位置周辺の地図情
報に基づいて、前記他移動体の位置が示された前記所定の位置周辺の地図を表示すること
によって、前記告知を行うものであるようにしても良い。
【手続補正２２】
【補正対象書類名】明細書
【補正対象項目名】００３３
【補正方法】変更
【補正の内容】
【００３３】
ところで、前記他移動体の位置が示された前記所定の位置周辺の地図を表示するには、
当然のことではあるが、前記所定の位置周辺の地図情報が必要となる。上記のように構成
すれば、前記管理機関から送信されてくる前記所定の位置周辺の地図情報を用いて、前記
地図の表示が行われるので、前記自移動体に地図情報が記憶された記憶装置などを搭載し
ておかなくても良いようにすることができる。
【手続補正２３】
【補正対象書類名】明細書
【補正対象項目名】００３４
【補正方法】変更
【補正の内容】
【００３４】
さらに、前記所定の位置を前記自移動体の位置、該自移動体の目的地、及び前記他移動
体の位置のいずれかにする。
【手続補正２４】
【補正対象書類名】明細書
【補正対象項目名】００３５
【補正方法】変更
【補正の内容】
【００３５】
上記のように構成すれば、前記他移動体の位置が示された前記自移動体の位置周辺の地
図、前記自移動体の目的地周辺の地図、及び前記他移動体の位置周辺の地図のいずれかが
表示される。これにより、前記自移動体や前記目的地近くに存在する前記他移動体を把握
したり、該他移動体の存在する周辺の地理状況を把握することができる。
【手続補正２５】
【補正対象書類名】明細書
【補正対象項目名】００３６
【補正方法】変更
【補正の内容】
【００３６】
また、上記端末装置（１）〜（３）のいずれかにおいて、前記告知手段を、前記他移動
体と、前記自移動体及び／又は該自移動体の目的地との位置関係を示すことによって、前
記告知を行うものであるようにしても良い。
【手続補正２６】
【補正対象書類名】明細書
【補正対象項目名】００３７
【補正方法】変更
【補正の内容】
【００３７】
上記のように構成すれば、例えば、図１７に示したように、前記他移動体と、前記自移
動体及び／又は該自移動体の目的地との位置関係を示すことによって前記告知が行われる
。従って、地図情報を用いなくても、前記他移動体の位置を前記自移動体の乗員へ知らせ
ることができる。
【手続補正２７】
【補正対象書類名】明細書
【補正対象項目名】００４４
【補正方法】変更
【補正の内容】
【００４４】
また、本発明に係る位置情報等提供装置（３）は、上記位置情報等提供装置（２）にお
いて、情報の送信対象である移動体（以降、送信対象移動体とも記す）の情報と前記他移
動体情報とに基づいて、送信対象移動体と前記他移動体との関連性を求める関連性算出手
段を備え、前記送信重要度算出手段が、前記関連性算出手段により求められる前記送信対
象移動体と前記他移動体との関連性に基づいて、前記送信重要度を求めるものであり、前
記移動体情報記憶手段には、各移動体に設定されているキーワード情報が記憶されており
、前記関連性算出手段が、前記送信対象移動体に設定されているキーワード情報と、前記
他移動体に設定されているキーワード情報とに基づいて、前記送信対象移動体と前記他移
動体との関連性を求めるものであることを特徴としている。
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】変更
【補正の内容】
【００４７】
さらに、上記位置情報等提供装置（３）によれば、前記送信対象移動体に設定されてい
るキーワード情報と、前記他移動体に設定されているキーワード情報とに基づいて、前記
送信対象移動体と前記他移動体との関連性が求められ、この関連性に基づいて、前記送信
重要度が求められる。
【手続補正３０】
【補正対象書類名】明細書
【補正対象項目名】００５０
【補正方法】変更
【補正の内容】
【００５０】
また、本発明に係る位置情報等提供装置（４）は、上記位置情報等提供装置（２）にお
いて、情報の送信対象である移動体の情報と前記他移動体情報とに基づいて、送信対象移
動体と前記他移動体との関連性を求める関連性算出手段を備え、前記送信重要度算出手段
が、前記関連性算出手段により求められる前記送信対象移動体と前記他移動体との関連性
に基づいて、前記送信重要度を求めるものであり、前記移動体情報記憶手段には、各移動
体の属するグループ情報が記憶されており、前記関連性算出手段が、前記送信対象移動体
の属するグループ情報と、前記他移動体の属するグループ情報とに基づいて、前記送信対
象移動体と前記他移動体との関連性を求めるものであることを特徴としている。
【手続補正３１】
【補正対象書類名】明細書
【補正対象項目名】００５１
【補正方法】変更
【補正の内容】
【００５１】
上記位置情報等提供装置（４）によれば、前記送信対象移動体の属するグループ情報と
、前記他移動体の属するグループ情報とに基づいて、前記送信対象移動体と前記他移動体
との関連性が求められ、この関連性に基づいて、前記送信重要度が求められる。
【手続補正３２】
【補正対象書類名】明細書
【補正対象項目名】００５４
【補正方法】変更
【補正の内容】
【００５４】
また、上記位置情報等提供装置（２）において、前記他移動体の位置情報と、所定の地
点の位置情報とに基づいて、前記他移動体の位置と前記所定の地点との位置的関係を求め
る位置的関係算出手段を備え、前記送信重要度算出手段を、前記位置的関係算出手段によ
り求められる前記他移動体の位置と前記所定の地点との位置的関係に基づいて、前記送信
重要度を求めるものであるようにしても良い。
【手続補正３３】
【補正対象書類名】明細書
【補正対象項目名】００５５
【補正方法】変更
【補正の内容】
【００５５】
上記のように構成すれば、前記他移動体の位置と前記所定の地点（例えば、前記送信対
象移動体の位置や、該送信対象移動体の目的地）との位置的関係（例えば、前記送信対象
移動体との距離が短いか否かといったこと）が求められ、この位置的関係に基づいて、前
記送信重要度が求められる。従って、前記送信の差別化を前記位置的関係に基づいて行う
ことができるので、例えば、前記送信対象移動体の近くを走行中の他移動体の情報だけを
送信するようにできる。
【手続補正３４】
【補正対象書類名】明細書
【補正対象項目名】００５６
【補正方法】変更
【補正の内容】
【００５６】
また、本発明に係る位置情報等提供装置（５）は、上記位置情報等提供装置（２）にお
いて、前記移動体情報記憶手段には、各移動体の位置情報における更新時刻に関する情報
が記憶されており、前記送信重要度算出手段が、前記他移動体情報に含まれている前記更
新時刻に関する情報に基づいて、前記送信重要度を求めるものであることを特徴としてい
る。
【手続補正３５】
【補正対象書類名】明細書
【補正対象項目名】００５７
【補正方法】変更
【補正の内容】
【００５７】
上記位置情報等提供装置（５）によれば、前記他移動体の位置情報における更新時刻に
関する情報に基づいて、前記送信重要度が求められる。従って、前記送信の差別化を前記
他移動体の位置情報における更新時刻に関する情報に基づいて行うことができる。
【手続補正３６】
【補正対象書類名】明細書
【補正対象項目名】００５９
【補正方法】変更
【補正の内容】
【００５９】
また、上記位置情報等提供装置（２）〜（５）のいずれかにおいて、前記送信対象移動
体に対し、所定の位置周辺の地図情報を送信する地図情報送信手段を備えるようにしても
良い。
【手続補正３７】
【補正対象書類名】明細書
【補正対象項目名】００６０
【補正方法】変更
【補正の内容】
【００６０】
上記のように構成すれば、前記送信対象移動体に対し、前記他移動体の位置情報だけで
なく、前記所定の位置（例えば、前記送信対象移動体の位置）周辺の地図情報が送信され
る。従って、前記送信対象移動体に地図情報が記憶された記憶装置などが搭載されていな
くても、前記送信対象移動体で前記他移動体の位置が示された前記所定の位置周辺の地図
を表示することによって、前記他移動体の位置を告知することが可能となる。
【手続補正３８】
【補正対象書類名】明細書
【補正対象項目名】００６１
【補正方法】変更
【補正の内容】
【００６１】
さらに、前記所定の位置を、前記送信対象移動体の位置、該送信対象移動体の目的地、
及び前記他移動体の位置のいずれかにする。
【手続補正３９】
【補正対象書類名】明細書
【補正対象項目名】００６２
【補正方法】変更
【補正の内容】
【００６２】
上記のように構成すれば、前記所定の位置が、前記送信対象移動体の位置、前記送信対
象移動体の目的地、及び前記他移動体の位置のいずれかであるので、前記他移動体情報の
受信側である前記送信対象移動体で、前記他移動体の位置が示された前記送信対象移動体
の位置周辺の地図、前記送信対象移動体の目的地周辺の地図、及び前記他移動体の位置周
辺の地図のいずれかを表示することが可能となる。これにより、前記送信対象移動体や前
記目的地近くに存在する前記他移動体を把握したり、該他移動体の存在する周辺の地理状
況を把握することができる。